(57)【要約】本発明は、特にスポーツ活動時に使用するための靴下に関する。底が丸みのつけられた踏み領域（１３）を有している。有利にはこの丸みのつけられた踏み領域（１３）は、湾曲部（１３１）の形式で形成されている。
2006517005.tif 000002
【特許請求の範囲】
【請求項１】
底が丸みのつけられた踏み領域（１３）を有していることを特徴とする靴下。
【請求項２】
丸みのつけられた踏み領域（１３）が湾曲部（１３１）の形式で形成されている、請求項１記載の靴下。
【請求項３】
湾曲部（１３１）が外側に向けられている、請求項２記載の靴下。
【請求項４】
踏み領域（１３）に少なくとも１つの空調通路（２６）が設けられている、請求項１から３までのいずれか１項記載の靴下。
【請求項５】
靴下の脚部内側及び／又は脚部外側に空気通路（２５）が設けられている、請求項１から４までのいずれか１項記載の靴下。
【請求項６】
空気通路（２５）が踏み領域（１３）内で少なくとも１つの空調通路（２６）に接続されている、請求項５記載の靴下。
【請求項７】
空調通路（２６）が踏み領域（１３）内で弓形の延在部を有している、請求項４から６までのいずれか１項記載の靴下。
【請求項８】
空調通路（２６）が部分的に先細り部（２６１）を有している、請求項４から７までのいずれか１項記載の靴下。
【請求項９】
空調通路（２６）がほぼ円形の横断面を有している、請求項４から８までのいずれか１項記載の靴下。
【請求項１０】
空調通路（２６）が中央通路（２６２）を介して互いに接続されている、請求項４から９までのいずれか１項記載の靴下。
【請求項１１】
空気通路（２５）及び空調通路（２６）が同一材料から成っている、請求項５から１０までのいずれか１項記載の靴下。
【請求項１２】
空気通路（２５）が空気調整する網状編成布から成っている、請求項５から１１までのいずれか１項記載の靴下。
【請求項１３】
空調通路（２６）が空気調整する網状編成布から成っている、請求項４から１２までのいずれか１項記載の靴下。
【請求項１４】
靴下がＸ字形クロスバンデージ（２４）を備えている、請求項１から１３までのいずれか１項記載の靴下。
【請求項１５】
靴下がクッション（２２，２３）を有している、請求項１から１４までのいずれか１項記載の靴下。
【発明の詳細な説明】
【技術分野】
【０００１】
本発明は、特にスポーツ活動時に使用するための靴下に関する。
【０００２】
人の足は、しばしば堅固な靴内に収められる。このことは特に、例えばスポーツ活動時に人が多く且つ素早く運動する場合に云える。特に、例えばパワーウォーキング時、即ち比較的長時間にわたる高速での歩行時等の、足の転動が増大する運動の進行に際して、足は高い負荷に晒されており、この負荷は、内側に湾曲した足底の構成に基づいて、特に足指球及びかかとの領域に集中する。この場合、足底の内向きの湾曲部は、歩行又は走行時の足の転動運動とは正反対の方向に向けられている。その結果、中足領域は、不十分な若しくは欠如した支持面に基づいて恒常的な緊張下にあり、このことは、痙攣の増加を招く恐れがある。更に、不均等な負荷配分に基づいて、腱及び靱帯の負荷が高められる恐れがある。
【０００３】
本発明はこれらの点を解決しようとするものである。本発明の課題は、例えばパワーウォーキング時のように、スポーツ活動時に発生する負荷の均等な配分を、足底の全面にわたって生ぜしめる靴下を提供することである。この課題は本発明に基づいて、底が丸みをつけられた踏み領域を有していることによって解決される。
【０００４】
本発明により、特にパワーウォーキング等のスポーツ活動時に使用するための、足底の全面にわたって均等な負荷配分を生ぜしめる靴下が得られる。丸みをつけられた踏み領域を設けることにより、中足の自然な湾曲が補償され、延いては連続した支持面が生ぜしめられる。これにより、中足領域における痙攣が防止され且つ足の早期疲労に対抗する。更に、歩行時のひきずりに対抗する。
【０００５】
本発明の改良では、丸みをつけられた踏み領域が湾曲部の形式で形成されている。この湾曲部は、有利には外側に向けられている。これにより、歩行、特にパワーウォーキングにおいて典型的な足の転動運動が助成されている。
【０００６】
本発明の構成では、靴下の踏み領域に１つの空調通路が設けられている。これにより、足底の領域で発生する湿気を空調通路を介して足底域から直接に搬出する可能性が生じる。この場合、湿気は靴の通気孔を通って漏出することができる。
【０００７】
本発明の別の改良では、靴下の踏み領域が１つの中央空調通路を有しており、この中央空調通路から別の複数の空調通路が靴下外側領域に向かって分岐している。これにより、踏み領域における一様な空調が得られる。更に、通路間で圧力補償が生ぜしめられ、このことは、負荷された場合の均等な湿気除去をもたらす。更に、快適な踏み心地が生ぜしめられる。
【０００８】
本発明の別の構成では、空調通路が曲げられて若しくは波状に案内されている。これにより、有効通路長さの拡大が得られ、このことは、一方では搬送容量の増大を生ぜしめ、他方では踏み領域内の冷却面積が拡大される。
【０００９】
本発明の更に別の構成では、踏み領域内の通路が絞られて構成されている。通路経路を部分的に先細にすることによって加速された空気案内が得られ、このこともやはり踏み領域からの湿気の搬出を加速し且つこの領域の冷却能力の向上を生ぜしめる。
【００１０】
有利には、選択的に靴下の脚部内側及び／又は脚部外側に１つの空気通路が設けられており、この空気通路は踏み領域内で空調通路に接続されている。これにより、汗を足底領域から搬出するための付加的な経路が得られる。脚部内側と脚部外側とにそれぞれ空気通路が設けられている場合は、これらの空気通路を接続することにより、付加的な空気循環が靴内に生ぜしめられる。
【００１１】
本発明の更に別の構成では、靴下はクッションを有している。これらのクッションは靴下の様々な箇所に配置されていてよい。当該クッションは肌擦れを防止する一方で、足に圧迫箇所が形成される危険を防止する。
【００１２】
有利には、靴下はＸ字形クロスバンデージを備えている。このＸ字形クロスバンデージは、脚部と足との間の移行領域内のくるぶしを支持する。
【００１３】
本発明の更に別の改良は、その他の従属請求項に記載されている。
【００１４】
以下に、本発明の実施例を図面につき詳しく説明する。
【００１５】
実施例として選択した靴下（図１）は、足部１とシャフト２とから成っている。足部１はつま先領域１１と、かかと領域１２と、つま先領域とかかと領域との間に位置する踏み領域１３とを有している。これらの領域１１，１２，１３は、実施例で示すように、強化された材料から製作されていてよい。例えばフリースウールとエラスタン等の弾性繊維材料との材料コンビネーションを使用することも可能である。
【００１６】
当該靴下は、丸みをつけられた踏み領域１３を有している（図１及び図４）。このように形成された踏み領域１３の湾曲部１３１は、人の足底の内向きの湾曲部とは逆方向に向けられている。即ち、湾曲部１３１は外側に向けられている。湾曲部１３１は丸みのつけられた外側輪郭１３２を生ぜしめる。この輪郭１３２は、歩行及び走行時の足の転動運動の経過に対応している。即ち、足はかかとをついてから湾曲部１３１にわたって輪郭１３２に沿ってつま先まで転動する。足指球の前部域及びかかとの後部域では、丸みをつけられた外側輪郭を継続するために材料が先細になっている。
【００１７】
湾曲部１３１は様々な形式で生ぜしめられていてよい。この湾曲部１３１をクッションによって生ぜしめるという可能性がある。このためには、様々な厚さのパッドが使用されてよい。この場合、真ん中の領域には比較的厚いパッドが配置され且つ端部には比較的薄いパッドが配置される。異なる厚さのパッドの数に応じて、厚みの細かい〜やや細かい段階付けが選択され得る。また、異なる太さの糸を使用することもでき、この場合、最も太い糸は湾曲部の最大膨張範囲に縫いつけられている。更に、湾曲部は比較的多数の糸を編み込むことによって形成されていてよく、この場合、糸の数はかかとから始まっておよそ踏み領域１３の真ん中まで増大し、そこからつま先に向かって再び減少する。湾曲部１３１の別の形成法も考えられる。
【００１８】
シャフト２の、足部１とは反対の側の端部には折返し２１が設けられている。シャフト２はふくらはぎの領域にクッション２２を備えており、図示の実施例では複数のバーパッドが設けられている。別の形のクッションが可能である。すねの下部域にも、足部の甲に移行しつつクッション２３が配置されている。クッションをアキレス腱の領域に配置することもやはり可能である。
【００１９】
クッションは、一般に合成糸又は複合織布又は複合糸又は類似の材料から製作されている。本実施例では、靴下のクッションは中空繊維から製作されており、これらの中空繊維はウール又は木綿によって被覆されている。中空合成糸は、特に著しく衝撃・圧力緩衝性になっている。踏み領域１３は、摩耗の阻止を支援するマイクロ繊維編成品から製作されていてよい。つま先及びかかと領域でも、要求に応じて足床がマイクロ繊維から製作されている。
【００２０】
更に、靴下はＸ字形クロスバンデージ２４を備えている。このＸ字形クロスバンデージ２４は、弾性的な空気調整する織布から形成されている。Ｘ字形クロスバンデージ２４は、脚部と足との間の移行領域のくるぶしを支持する。
【００２１】
本実施例では、折返し２１から空気通路２５が出発しており、この空気通路２５は踏み領域１３内にまで達しており且つ空気調整する網状編成布から形成されている。空気通路２５は、湿気を踏み領域から上方へ導出するために寄与する。このような空気通路２５は、脚部内側に、又は靴下の両側に設けられていてもよい。
【００２２】
図２に示した実施例では３つの空調通路２６が配置されている。これらの空調通路２６によって、踏み領域１３が中断されている。空調通路２６は、踏み領域の外縁部において終始しており且つ弓形に構成されており、これにより、有効通路長さが拡大される。この効果は、図３に示した実施例では、空調通路の波形の構成によって更に高められる。有効通路長さの増大によって搬送容量が高められ且つ踏み領域の冷却面積が拡大される。図４から判るように、空調通路２６は靴下の強化された踏み領域１３全体を通っていてよい、つまり、足を挿入する側方領域にまで延びていてよい。空調通路２６は、空気調整する網状編成布から形成されている。空調通路２６は、網状編成布の厚さが踏み領域の厚さに対応しており、これにより、連続した表面が得られるように構成されていてよい。これにより、履き心地がポジティブに影響されている。
【００２３】
図５に示した実施例では、靴下は踏み領域１３に、絞られて構成された空調通路２６を有している。空調通路２６の部分的な先細り部２６１によって、空気案内の加速が得られる（いわゆるベンチュリ管原理）。これにより、一方では踏み領域１３からの湿気の搬出が加速され、他方では、この領域における冷却能力の向上が得られる。更にこの利点は、空調通路２６がほぼ円形の横断面を有している（図６）ことによって強化され得る。この構成では、先細り部２６１もほぼ円形の横断面を有している。通路２６の閉じられていない区分は符号ｂによって示されている。負荷がかけられると、間隔ｂは極端な場合はｂ＝０へ減少し、これにより、閉じられた円形の横断面が生ぜしめられている。この場合、空調通路２６は円錐ノズルの形を有しており、これにより、ポジティブな特性が付加的に改善されている。
【００２４】
図７に示した実施例では、踏み領域１３が中央通路２６２を有しており、この中央通路２６２から両側に弓形の空調通路２６が分岐しており、これらの空調通路２６は踏み領域１３の外縁部で終わっている。中央通路２６２を介して空調通路２６が中央で接続されていることにより、踏み領域１３にわたって一様な空調が得られる。更に、前記接続は、全ての空調通路２６内に等しい圧力を生ぜしめ、これにより、負荷された場合に一様な湿気除去が得られる。更に、一様な圧力は快適な踏み心地を生ぜしめる。この実施例の変化態様では、中央通路２６２を踏み領域１３を越えてつま先領域１１及び／又はかかと領域１２にまで延長する可能性がある。
【００２５】
図８に示した実施例では、踏み領域１３に３つの空調通路が配置されており、これらの空調通路は、土踏まずのくぼみ（Ｆｕｓｓｈｏｅｈｌｅ）に延在する脚部内側の空気通路２５に開口している。空調通路２６は放射線状に配置されている。この配置形式に基づいて、空調通路が通る踏み領域の広範な領域が得られるので、踏み領域全体からの湿気の搬出が可能である。この場合、空調通路２６の幅及び長さは一般に自由に選択可能である。空調通路２６の数も可変である。空調通路２６の長さ若しくは幅の拡大又は空調通路２６の数の増大によって、搬送可能な湿気の増大が可能である。
【００２６】
図９に示した実施例では図８と同様に、踏み領域１３に空気通路２５に開口する複数の空調通路２６が配置されており、前記空気通路２５は脚部外側に配置されている。空調通路２６は放射線状に土踏まずのくぼみまで延在している。
【００２７】
図１０に示した実施例では、靴下の脚部内側と脚部外側とに各１つの空気通路２５が配置されている。靴下の踏み領域１３は、空気通路２５間の土踏まずのくぼみに配置された複数の空調通路２６を有している。空調通路の数及び寸法は、本実施例でもほぼ自由に選択可能である。脚部内側及び脚部外側の空気通路２５を接続すると、靴内に最適な空気循環が生ぜしめられるので、最大限の湿気を靴若しくは靴下から搬出することができる。
【００２８】
図示の実施例の他にも、踏み領域１３における空調通路２６の配分及び配向の別の可能性がある。実施例の説明及び請求項で靴下について述べた限りでは、本発明はこれらにのみ限定されるものではなく、むしろ靴下の概念にはストッキング、タイツ等も包括され、本発明はこれらにも関する。
【図面の簡単な説明】
【００２９】
【図１】丸みをつけられた踏み領域並びに側方の空気通路、Ｘ字形クロスバンデージ及びクッションとを有する靴下の側面図である。
【図２】空調通路（弓形の通路案内部）を有する靴下の踏み領域を示した図である。
【図３】空調通路（波形の通路案内部）を有する靴下の踏み領域を示した図である。
【図４】図３に示した靴下の側面図である。
【図５】空調通路（絞られた通路案内部）を有する靴下の踏み領域を示した図である。
【図６】図５に示したＶＩ−ＶＩ線に沿った断面図である。
【図７】空調通路（中央通路案内部）を有する靴下の踏み領域を示した図である。
【図８】空調通路及び脚部内側の付加的な空気通路を有する靴下の踏み領域を示した図である。
【図９】空調通路及び脚部外側の付加的な空気通路を有する靴下の踏み領域を示した図である。
【図１０】空調通路並びに脚部内側及び脚部外側の付加的な空気通路を有する靴下の踏み領域を示した図である。
【図１】
2006517005.tif 000003
【図２】
2006517005.tif 000004
【図３】
2006517005.tif 000005
【図４】
2006517005.tif 000006
【図５】
2006517005.tif 000007
【図６】
2006517005.tif 000008
【図７】
2006517005.tif 000009
【図８】
2006517005.tif 000010
【図９】
2006517005.tif 000011
【図１０】
2006517005.tif 000012
【国際調査報告】
2006517005.tif 000013
2006517005.tif 000014
2006517005.tif 000015
2006517005.tif 000016
2006517005.tif 000017
2006517005.tif 000018
2006517005.tif 000019
2006517005.tif 000020
2006517005.tif 000021
2006517005.tif 000022